(57)【要約】【課題】特許文献１のスクリーン印刷機では、供給された半田の残量が所定量以下となったことを通知するにあたり、製造コストが十分に抑えられていないという課題があった。【解決手段】処理装置は、半田を用いた所定の処理の結果物の出力先である所定の装置から入力される、前記結果物に含まれる前記半田の体積又は前記結果物に前記半田が付着した面積の少なくともいずれか一方である半田量の積算量（装置が消費した半田の量に相当）を算出する累積部と、前記積算量に対応する量（例えば、累積量から求められる装置内の半田の残量）が所定量に達した場合に所定の信号を出力する出力部と、備える。【選択図】      図９
2017077635.tif 000002
【特許請求の範囲】
【請求項１】
半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積部と、
前記積算量に対応する量が所定量に達した場合に所定の信号を出力する出力部と、
を備えることを特徴とする処理装置。
【請求項２】
前記積算量と、装置に供給された前記半田の量を示す所定の供給量と、の差を算出する残量算出部を備え、
前記出力部は、前記差が前記所定量以下である場合に前記所定の信号を出力する、
ことを特徴とする請求項１に記載の処理装置。
【請求項３】
前記差を表示する表示部を備える、
ことを特徴とする請求項２に記載の処理装置。
【請求項４】
前記出力部は、前記積算量が前記所定量以上である場合に前記所定の信号を出力する、
ことを特徴とする請求項１に記載の処理装置。
【請求項５】
前記所定の信号は、接続する機器が警報を発する信号である、
ことを特徴とする請求項１乃至４のいずれか１項に記載の処理装置。
【請求項６】
半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積ステップと、
前記積算量に対応する量が所定量に達した場合に所定の信号を出力する出力ステップと、を有する、
ことを特徴とする方法。
【請求項７】
前記積算量と、供給された前記半田の量を示す所定の供給量と、の差を算出する残量算出ステップを有し、
前記出力ステップにおいては、前記差が前記所定量以下である場合に前記所定の信号を出力する、
ことを特徴とする請求項６に記載の方法。
【請求項８】
前記出力ステップにおいては、前記積算量が前記所定量以上である場合に前記所定の信号を出力する、
ことを特徴とする請求項６に記載の方法。
【請求項９】
半田を用いた所定の処理の結果物の出力先である所定の装置と接続されたコンピュータに、
前記装置から入力される、前記結果物に含まれる前記半田の体積又は前記結果物に前記半田が付着した面積の少なくともいずれか一方である半田量の積算量を算出する累積処理と、
前記積算量に対応する量が所定量に達した場合に所定の信号を出力する出力処理と、
を行わせるためのプログラム。
【請求項１０】
前記積算量と、供給された前記半田の量を示す所定の供給量と、の差を算出する残量算出処理と、
前記出力処理においては、前記差が前記所定量以下である場合に前記所定の信号を出力する処理と、
を前記コンピュータに行わせるための請求項９に記載のプログラム。
【発明の詳細な説明】
【技術分野】
【０００１】
本発明は、処理装置、方法、及びプログラムに関し、特に、装置に供給されたはんだの残量が所定量以下となったことを通知する処理装置、方法、及びプログラムに関する。
【背景技術】
【０００２】
一般的に、装置に供給されたはんだの残量が所定量以下となったことを通知する装置が知られている。上述の装置は、以下の特許文献１に開示されている。
【０００３】
（１）特許文献１のスクリーン印刷機（印刷動作の説明）
特許文献１のスクリーン印刷機は、一般的なクリームはんだ印刷機と同様に、装置に供給されたクリームはんだ（以下、「印刷ペースト」という）をプリント基板に印刷する。
【０００４】
その為に、特許文献１のスクリーン印刷機は、スクリーン版とスキージを備える。スクリーン版は、スリットパターンが形成された金属板であり、その上に印刷ペーストが作業者によって供給される。スキージはヘラである。特許文献１のスクリーン印刷機は、スキージ（ヘラ）をスクリーン版上で往復運動させることで、印刷ペーストをスリットパターン（穴）に充填し、スクリーン版の下に位置するプリント基板に印刷ペーストを印刷する。
【０００５】
特許文献１のスクリーン印刷機は、複数のプリント基板に印刷ペーストを印刷するので、印刷ペーストの量は減少していく。
【０００６】
（２）特許文献１のスクリーン印刷機（警報動作の説明）
ここで、図１は、特許文献１のスクリーン印刷機の動作を説明する為の図である。特許文献１のスクリーン印刷機は、計測手段と警報制御部を備える。計測手段は、図１に示されるように、減少していく印刷ペーストの高さＨを随時計測し、警報制御部は、計測された印刷ペーストの高さが、印刷に最低限必要な高さＬになったとき、警報を発する。警報は、特許文献１のスクリーン印刷機に印刷ペーストを供給しなければならないことをユーザに通知するものである。高さＬは、予め警報制御部に設定される。
【０００７】
上述の構成や動作の通り、特許文献１のスクリーン印刷機は、供給された印刷ペーストの残量が所定量以下（具体的には、所定の高さＬ以下）となったことをユーザに通知することができる。その結果、特許文献１のスクリーン印刷機のユーザは、印刷ペーストがなくなっていないか否かを定期的に監視する作業が不要となる。
【０００８】
（３）特許文献１のスクリーン印刷機を含むシステム
特許文献１のスクリーン印刷機は、プリント基板の製造ラインで用いられる。製造ラインでは、スクリーン印刷機は、三次元はんだ印刷検査装置に接続され、システムとして用いられることが一般的である。
【０００９】
上述の三次元はんだ印刷検査装置は、非特許文献１に示されるように、スクリーン印刷機によってプリント基板上に印刷された各はんだの印刷状態を検査することが目的の装置である。三次元はんだ印刷検査装置は、検査を行うにあたり、プリント基板に印刷されている各はんだの体積を計測する。三次元はんだ印刷検査装置は、検査を行うと、検査結果（各はんだの印刷状態の良否）と共に、計測した各はんだの体積を出力する。なお、三次元はんだ印刷検査装置には、各はんだの面積も計測し、検査結果と共に、計測した面積を出力するものがある。
【００１０】
上述の特許文献１のスクリーン印刷機を含むシステムは、製造ラインにおいて、プリント基板に印刷ペーストを印刷し、プリント基板上に印刷された各はんだの印刷状態を検査する。
【先行技術文献】
【特許文献】
【００１１】
【特許文献１】特開平０５−２００９７５号公報
【非特許文献】
【００１２】
【非特許文献１】鈴木隆、外４名、「３次元インライン検査が可能な印刷はんだ検査機」、アンリツテクニカル、アンリツ株式会社、２００２年１月、第８０巻、ｐ.７６−ｐ７７
【発明の概要】
【発明が解決しようとする課題】
【００１３】
しかし、上述の特許文献１のスクリーン印刷機は、供給されたはんだの残量が所定量以下となったことを通知するにあたり、製造コストを十分に抑えられていないという課題があった。
【００１４】
なぜならば、特許文献１のスクリーン印刷機は、印刷ペーストの高さを計測する計測手段を備えなければならないからである。上述の計測手段は、一般的に高価であり、当該計測手段を備えなければならない特許文献１のスクリーン印刷機は、コストを十分に抑えられていなかった。
【００１５】
さらに、特許文献１のスクリーン印刷機を含むシステムは、導入コストを十分に抑えられていないという課題もあった。当該システムでは、特許文献１のスクリーン印刷機の製造コストが十分に抑えられていないからである。
【００１６】
本発明は、上記課題を解決する処理装置、方法、及びプログラムを提供することを目的とする。なお、以下、「はんだ」と「半田」の２つの表記を併用するが、同じ意味である。
【課題を解決するための手段】
【００１７】
上記目的を達成するために、本発明の処理装置は、半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積部と、前記積算量に対応する量が所定量に達した場合に所定の信号を出力する出力部と、を備える。
【００１８】
上記目的を達成するために、本発明の方法は、半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積ステップと、前記積算量に対応する量が所定量に達した場合に所定の信号を出力する出力ステップと、を有する。
【００１９】
上記目的を達成するために、本発明のプログラムは、半田を用いた所定の処理の結果物の出力先である所定の装置と接続されたコンピュータに、前記装置から入力される、前記結果物に含まれる前記半田の体積又は前記結果物に前記半田が付着した面積の少なくともいずれか一方である半田量の積算量を算出する累積処理と、前記積算量に対応する量が所定量に達した場合に所定の信号を出力する出力処理と、行わせるためのプログラムである。
【発明の効果】
【００２０】
本発明によれば、装置は、供給された半田の残量が所定量以下となったことを通知するにあたり、製造コストを十分に抑えることができる。装置を含むシステムは、導入コストを十分に抑えることができる。
【図面の簡単な説明】
【００２１】
【図１】特許文献１のスクリーン印刷機の動作を説明する為の図である。
【図２】本発明の第１の実施の形態におけるはんだ印刷装置を含むシステムの構成例を示す図である。
【図３】本発明の第１の実施の形態におけるはんだ印刷装置の構成例を示す図である。
【図４】本発明の第１の実施の形態におけるはんだ印刷装置の動作を説明する為の図である。
【図５】本発明の第１の実施の形態におけるはんだ印刷装置を含むシステムのその他の構成例を示す図である。
【図６】本発明の第２の実施の形態におけるはんだ印刷装置を含むシステムの構成例を示す図である。
【図７】本発明の第２の実施の形態におけるはんだ印刷装置の構成例を示す図である。
【図８】本発明の第２の実施の形態におけるはんだ印刷装置の動作を説明する為の図である。
【図９】本発明の第３の実施の形態における装置の構成例を説明する為の図である。
【発明を実施するための形態】
【００２２】
次に本発明の実施形態について、図面を参照して詳細に説明する。
【００２３】
≪第１の実施の形態≫
[概要]
本実施形態のはんだ印刷装置を含むシステムでは、はんだ印刷装置が、同じシステム内の検査装置で計測される半田の体積を流用することで、装置内の半田の残量を計算により求める。本実施形態のはんだ印刷装置は、求めた半田の残量が所定量以下であるときに、警告を発し、供給が必要なことをユーザに通知する。
【００２４】
本実施形態のはんだ印刷装置は、流用により半田の残量を求めることができるので、高価なセンサを備える必要がなく、製造コストを十分に抑えることができる。本実施形態のはんだ印刷装置を含むシステムも導入コストを抑えることができる。
【００２５】
［構成の説明］
（１）本発明の第１の実施の形態におけるはんだ印刷装置を含むシステムの構成
図２は、本発明の第１の実施の形態におけるはんだ印刷装置を含むシステムの構成例を示す図である。
【００２６】
本実施形態のはんだ印刷装置１は、図２に示されるように、はんだ印刷検査装置２と接続され、システムとして、プリント基板の製造ラインで用いられる装置である。はんだ印刷検査装置２は、三次元はんだ印刷検査装置である。
【００２７】
本実施形態のはんだ印刷装置１は、ベルトコンベア３を介して、はんだ印刷検査装置２と接続される。また、本実施形態のはんだ印刷装置１は、はんだ印刷検査装置２と有線回線４を介して接続される。
【００２８】
ベルトコンベア３は、一般的なベルトコンベアであり、はんだ印刷装置１から出力されるプリント基板をはんだ印刷検査装置２に搬送する為に用いられる。
【００２９】
以下、はんだ印刷装置１とはんだ印刷検査装置２の機能について説明する。まず、はんだ印刷検査装置２の機能から説明する。
【００３０】
（２）はんだ印刷検査装置２の機能
はんだ印刷検査装置２は、三次元はんだ印刷検査装置であり、（搬送されてきた）プリント基板に印刷された各はんだペーストの印刷状態を検査することが目的の装置である。はんだ印刷検査装置２は、検査を行うにあたり、プリント基板に印刷された各はんだペーストの体積を計測する機能を備える。
【００３１】
はんだ印刷検査装置２は、計測開始を示す信号が入力されたときに、各はんだペーストの体積を計測し、検査を行う。はんだペーストの体積は、以下、「はんだペーストの量」という。
【００３２】
はんだ印刷検査装置２は、検査を行った後、計測したはんだペーストの量を電気信号としてはんだ印刷装置１に出力する。上述のはんだペーストは、一般的なクリームはんだである。
【００３３】
（３）はんだ印刷装置１の機能
はんだ印刷装置１には、はんだ印刷装置１のユーザによって、はんだペーストが供給される。
【００３４】
（３−１）はんだペースト印刷機能
（３−１−１）一般的な印刷機能
はんだ印刷装置１は、一般的なクリームはんだ印刷機と同様に、装置に供給されたはんだペーストをプリント基板に印刷する機能を備える。
【００３５】
その為に、はんだ印刷装置１は、特許文献１のスクリーン印刷機と同様に、スリットパターンを備えたスクリーン版と、スキージと、を備えてもよい。その場合、はんだ印刷装置１は、印刷開始を示す信号が入力されると、スキージを往復運動させ、スクリーン版上に供給されたはんだペーストをプリント基板に印刷する。スクリーン版は、一般的なステンシルマスクであってもよい。
【００３６】
上述の印刷開始を示す信号は、動作開始ボタンから入力される。動作開始ボタンは、はんだ印刷装置１に備わり、押下されると、印刷開始を示す信号を出力するボタンである。
【００３７】
（３−１−２）はんだ印刷検査装置２に計測開始を指示する機能
はんだ印刷装置１は、プリント基板を印刷し、出力した後、所定時間経過すると、計測開始を示す信号をはんだ印刷検査装置２に出力する。はんだ印刷検査装置２が計測する、プリント基板に印刷された各はんだペーストの量を取得する為である。所定時間は、ベルトコンベア３が、プリント基板をはんだ印刷検査装置２に搬送する時間である。
【００３８】
（３−２）警報機能
（３−２−１）供給されたはんだペースト量を記憶する機能
はんだ印刷装置１には、はんだ印刷装置１のユーザによって、装置に供給されたはんだペーストの量（以下、「供給量」という）が予め設定される。
【００３９】
供給量は、供給されたはんだペーストの体積である。はんだ印刷装置１のユーザは、供給するはんだペーストの体積を、後述の「（５）はんだペーストの体積を求める手順について」に示す手順の通りに算出してもよい。はんだ印刷装置１は、ユーザによって設定された供給量を記憶する。
【００４０】
（３−２−２）警報を発する所定量を記憶する機能
また、はんだ印刷装置１には、警告を発するはんだペーストの量が、はんだ印刷装置１のユーザによって予め設定される。はんだ印刷装置１のユーザは、プリント基板に印刷するのに最低限必要なはんだペーストの量を、はんだ印刷装置１に設定する。
【００４１】
（３−２−３）印刷により消費したはんだペーストの量を算出する機能
はんだ印刷装置１は、印刷により消費したはんだペーストの量を算出する。
【００４２】
具体的には、はんだ印刷装置１は、プリント基板に印刷した各はんだペーストの量がはんだ印刷検査装置２から入力されると、入力された各はんだペーストの量全てと、メモリに記憶される量（以下、「累積量」という）と、の総和を算出する。累積量は、積算量であり、その初期値は値０である。はんだ印刷装置１は、起動直後に、メモリに値０を累積量として書き込んでもよい。
【００４３】
はんだ印刷装置１は、算出した総和を新たな累積量としてメモリに記憶する。
【００４４】
メモリに記憶される累積量は、それまでに、はんだ印刷装置１が印刷したはんだペーストの累積量である。言い換えると、メモリに記憶される累積量は、はんだ印刷装置１が印刷により消費したはんだペーストの累積量（以下、「消費量」という）である。はんだ印刷装置１は、印刷により消費したはんだペーストの量をメモリに記憶する。
【００４５】
（３−２−４）装置内のはんだペーストの残量を算出する機能
次に、はんだ印刷装置１は、装置内のはんだペーストの残量を算出する。
【００４６】
具体的には、はんだ印刷装置１は、当初装置に供給されていたはんだペーストの量から、印刷によって消費したはんだペーストの量を減算することで、装置内のはんだペーストの残量を算出する。すなわち、はんだ印刷装置１は、記憶部１１に記憶される供給量から、メモリに記憶する累積量を減算した値（以下、「減算量」という）を算出する。
【００４７】
（３−２−５）警報を発する機能
はんだ印刷装置１は、装置内のはんだペーストの残量が、印刷に最低限必要な所定量以下である場合には警報を発する。具体的には、はんだ印刷装置１は、装置内のはんだペーストの残量（上述の減算量）が、（３−２−２）で設定した印刷に最低限必要なはんだペーストの量以下である場合には警報を発する。
【００４８】
一方、はんだ印刷装置１は、はんだペーストの残量が、印刷に最低限必要なはんだペーストの量より多い場合には、特に何もせず、次にはんだ印刷検査装置２から、各はんだペーストの量が入力されるのを待つ。
【００４９】
（４）はんだ印刷装置１の構成
図３は、本発明の第１の実施の形態におけるはんだ印刷装置の構成例を示す図である。
【００５０】
はんだ印刷装置１は、上述のはんだペースト印刷機能と警報機能を実現する機能部として、図３に示される通り、印刷部１０と、記憶部１１と、出力部１２と、累積部１３と、残量算出部１４と、動作開始ボタン１５と、を備える。印刷部１０と動作開始ボタン１５が（３−１）のはんだペースト印刷機能を実現し、記憶部１１、出力部１２、累積部１３、及び残量算出部１４が、（３−２）の警報機能を実現する。より詳細には記憶部１１が上述の（３−２−１）の機能を実現し、累積部１３が（３−２−３）の機能を実現する。また、残量算出部１４が（３−２−２）、（３−２−４）の機能を実現し、出力部１２が（３−２−５）の機能を実現する。各部位の機能は、後述の［動作の説明］にて詳細に記載する。
【００５１】
（５）はんだペーストの体積を求める手順について
はんだ印刷装置１のユーザは、はんだペーストの体積を以下の（ｉ）〜（ｉｉｉ）の手順通りに求めてもよい。
【００５２】
（ｉ）まず、はんだ印刷装置１のユーザは、供給するはんだペーストの重さを重量計により計測する。
【００５３】
（ｉｉ）次に、はんだ印刷装置１のユーザは、供給するはんだペーストに含まれる成分、その組成比、及びフラックス含有量を、はんだペーストのカタログから確認する。はんだペーストは、フラックスと、いくつかの金属成分（たとえば、錫や銀等）から構成される。
【００５４】
（ｉｉｉ）次に、はんだ印刷装置１のユーザは、以下の式１を用いて、はんだペーストの体積を計測する。式１は、はんだペーストに含まれる金属成分がｎ種類含まれるときのはんだペーストの体積を計測するものである。
2017077635.tif 000003
【００５５】
式１の「パンダペースト中の金属成分１、２、…、ｎ各々の重さ」は、当該金属成分１、２、…、ｎの組成比と、（計測したペーストの重さ−フラックスの重さ）と、の積を算出することで求めることができる。「フラックスの重さ」は、計測したペーストの重さと、フラックス含有量と、の積を算出することで求めることができる。フラックス含有量は、質量分率であらわされる値である。
【００５６】
（６）はんだ印刷装置１の各機能部の実現手段について
はんだ印刷装置１の印刷部１０は、スキージと、スキージを駆動する為のモーターと、印刷する為のステンシルマスクと、プリント基板を移動させるベルトコンベアと、ジャッキと、電子回路と、を用いて実現することができる。ジャッキは、ベルトコンベアにて運ばれてきたプリント基板をステンシルマスク下に重ねる為のものである。記憶部１１は、ＲＡＭ（Ｒａｎｄｏｍ  Ａｃｃｅｓｓ  Ｍｅｍｏｒｙ）等のメモリと電子回路を用いて実現することができる。さらに、出力部１２は、電子回路、ＲＡＭ、及びブザーを用いて実現することができる。累積部１３と残量算出部１４は、電子回路とＲＡＭを用いて実現することができる。
【００５７】
［動作の説明］
図４は、本発明の第１の実施の形態におけるはんだ印刷装置１の動作を説明する為の図である。図４を用いて、本実施形態のはんだ印刷装置１を含むシステムの動作を以下に説明する。
【００５８】
（１）事前設定
まず、はんだ印刷装置１には、はんだ印刷装置１のユーザにより、はんだペーストが供給される。また、はんだ印刷装置１のユーザによって、はんだ印刷装置１の記憶部１１に、装置に供給されたはんだペーストの量（すなわち、供給量）が予め設定される。さらに、はんだ印刷装置１の残量算出部１４には、プリント基板に印刷するのに最低限必要なはんだペーストの量（以下、「所定量」という）が予め設定される。
【００５９】
上述の供給量や所定量は、μｍ３を単位とする値である。
【００６０】
（２）印刷動作
その後、はんだ印刷装置１のユーザが、はんだ印刷装置１に備わる動作開始ボタン１５を押下したとする。動作開始ボタン１５から、はんだ印刷装置１の印刷部１０に、印刷開始を示す信号が出力される。
【００６１】
はんだ印刷装置１の印刷部１０は、印刷開始を示す信号が入力されると、図４に示されるように、一般的なクリームはんだ印刷機と同様、印刷機能により、はんだペーストをプリント基板に印刷し、印刷したプリント基板を出力する（Ｓ１）。出力されたプリント基板は、ベルトコンベア３にて、はんだ印刷検査装置２に搬送される。
【００６２】
次に、はんだ印刷装置１の印刷部１０は、プリント基板を出力した後、所定時間経過すると、計測開始を示す信号をはんだ印刷検査装置２に出力する（Ｓ２）。
上述の所定時間は、ベルトコンベア３が、プリント基板をはんだ印刷検査装置２に搬送する時間である。
【００６３】
（３）はんだ印刷検査装置２の動作
次に、図示していないが、はんだ印刷検査装置２は、計測開始を示す信号が入力されると、搬送されてきたプリント基板に印刷された各はんだペーストの量（体積）を計測し、各はんだペーストの印刷状態を検査する。ここで計測されるはんだペーストの量は、μｍ３を単位とする値である。
【００６４】
次に、はんだ印刷検査装置２は、検査結果（各はんだペーストの印刷状態）を、自身に備わるディスプレイに表示すると共に、計測した各はんだペーストの量を電気信号として、はんだ印刷装置１に出力する。
【００６５】
はんだ印刷装置１に、プリント基板に印刷した各はんだペーストの量が入力されることとなる。これにより、はんだ印刷装置１は、はんだ印刷検査装置２（三次元はんだ印刷検査装置）で計測された各はんだペーストの量を流用できる状態となり、以下のＳ３、Ｓ４の処理を行って、装置内のはんだペーストの残量を求めていく。
【００６６】
（４）装置内のはんだペーストの消費量を算出する動作
はんだ印刷装置１は、はんだ印刷検査装置２から、プリント基板に印刷した各はんだペーストの量が入力されると、それまでに装置が印刷により消費したはんだペーストの量（消費量）を算出し、算出した消費量をメモリに記憶する（Ｓ３）。
【００６７】
（４−１）Ｓ３の処理の具体例
具体的には、はんだ印刷装置１の累積部１３が、入力された各はんだペーストの量全てと、メモリに記憶される累積量（初期値０）と、の総和を算出し、算出した総和を新たな累積量としてメモリに記憶する。
【００６８】
メモリに記憶される新たな累積量は、それまでにはんだ印刷装置１が印刷したはんだペーストの累積量である。言い換えると、メモリに記憶される新たな累積量は、はんだ印刷装置１が印刷により消費したはんだペーストの消費量である。はんだ印刷装置１の累積部１３は、はんだペーストの消費量をメモリに記憶する。
【００６９】
（５）装置内のはんだペーストの残量を算出する動作
次に、はんだ印刷装置１は、Ｓ３でメモリに記憶した消費量を基に、装置内のはんだペーストの残量を算出する（Ｓ４）。
【００７０】
具体的には、はんだ印刷装置１の累積部１３が、メモリに記憶する消費量（累積量）を電気信号として残量算出部１４に出力する。残量算出部１４は、消費量が電気信号として入力されると、入力された電気信号から消費量を抽出する。残量算出部１４は、装置に当初供給されていたはんだペーストの量（記憶部１１に記憶される量）から、装置が印刷により消費したはんだペーストの量（抽出した消費量）を減算した量を算出する。算出した量は、装置内のはんだペーストの残量であり、以下、「減算量」という。はんだ印刷装置１の残量算出部１４は、算出した減算量を出力部１２に出力する。
【００７１】
（６）警報を発するか否か判別する動作
次に、はんだ印刷装置１は、装置内のはんだペーストの残量（具体的には、Ｓ４で算出した減算量）が、印刷に最低限必要な所定量以下であるか否かを判別する（Ｓ５）。
【００７２】
Ｓ５の処理は、はんだ印刷装置１の出力部１２によって実施される。
【００７３】
（７）警報を発しないと判別した場合の動作
次に、はんだ印刷装置１は、装置内のはんだペーストの残量が、印刷に最低限必要な所定量よりも多い場合（Ｓ５でＮｏの場合）には、印刷が継続できるので、特に警告を発せず、Ｓ１に戻り、はんだペーストをプリント基板に印刷する動作を継続する。
【００７４】
具体的には、はんだ印刷装置１の出力部１２が、装置内のはんだペーストの残量が、印刷に最低限必要な所定量よりも多い場合（Ｓ５でＮｏの場合）には、印刷開始を示す信号を印刷部１０に出力する。はんだ印刷装置１の印刷部１０は、印刷開始を示す信号が入力されると、はんだペーストをプリント基板に印刷するＳ１の動作を行う。
【００７５】
その後、はんだ印刷装置１は、Ｓ１〜Ｓ５の処理を繰り返し行い、はんだペーストをプリント基板に印刷していく。はんだペーストの残量が減っていく。やがて、はんだペーストの残量が、印刷に最低限必要な所定量以下となる。
【００７６】
（８）警報を発すると判別した場合の動作
はんだ印刷装置１の出力部１２は、はんだペーストの残量が、印刷に最低限必要な所定量以下である場合（Ｓ５でＹｅｓの場合）には、補充を指示する警報を発する（Ｓ６）。
【００７７】
その為に、出力部１２は、ブザーを備え、ブザーに電気信号を出力してもよい。ブザーは、電気信号が入力されると、警告音を発する。
【００７８】
はんだ印刷装置１のユーザは、警告音を聞くと、はんだペーストをはんだ印刷装置１に補充することができる。
【００７９】
（９）装置に供給されているはんだペーストの量を更新する動作
はんだ印刷装置１のユーザは、はんだペーストをはんだ印刷装置１に補充したときには、補充した量（以下、「補充量」という）をはんだ印刷装置１に設定する。その為に、はんだ印刷装置１は、補充量を入力する為のテンキーを備える。補充量は、μｍ３を単位とする値である。
【００８０】
はんだ印刷装置１の残量算出部１４は、テンキーから補充量が入力されると、入力された補充量と、直近にＳ４で算出されたはんだペーストの残量を合計し、合計した量を、新たな供給量として記憶部１１に記憶する（Ｓ７）。この処理により、新たに装置内に供給されたはんだペーストの量がはんだ印刷装置１に設定される。
【００８１】
さらに、はんだ印刷装置１の残量算出部１４は、メモリをクリアする信号を累積部１３に出力し、該信号が入力された累積部１３は、メモリに記憶する累積値を値０に更新する。新たに設定されたはんだペーストの量を基に、装置内のはんだペーストの残量を算出できるようにする為である。
【００８２】
その後、はんだ印刷装置１は、図４に示されるように、Ｓ４、Ｓ５を実施し、装置内のはんだペーストの残量が所定量以下でないことを確認した上で、Ｓ１に戻り、プリント基板に印刷する処理を再開する。
【００８３】
（１０）はんだ印刷装置１の構成や動作のバリエーション
（１０−１）表示動作
はんだ印刷装置１の出力部１２は、一般的な表示手段を備えてもよい。出力部１２は、装置内のはんだペーストの残量（具体的には、減算量）を算出すると、算出した残量を表示手段に表示してもよい。
【００８４】
はんだ印刷装置１のユーザは、警報が発せられる前に、はんだペーストの残量がどの位あるのかを確認することができる。
【００８５】
（１０−２）本実施形態のはんだ印刷装置を含むシステムのその他の構成例
図５は、本実施形態のはんだ印刷装置を含むシステムのその他の構成例を示す図である。
【００８６】
本実施形態のはんだ印刷装置１を含むシステムは、図５に示されるように、ＰＣ（Ｐｅｒｓｏｎａｌ  Ｃｏｍｐｕｔｅｒ）５を備え、当該ＰＣ５が上述のＳ３〜Ｓ７の処理を行ってもよい。はんだ印刷装置１に記憶部１１、出力部１２、累積部１３、及び残量算出部１４が不要となるので、その分、はんだ印刷装置１の製造コストを抑えることができる。
【００８７】
なお、ＰＣ５には、上述の供給量や所定量が、はんだ印刷装置１のユーザによって予め設定されるものとする。また、はんだ印刷検査装置２は、計測した各はんだペーストの量を、はんだ印刷装置１ではなく、ＰＣ５に出力するものとする。
【００８８】
ＰＣ５は、Ｓ３〜Ｓ７の処理を、自身に備わるプログラムで実行してもよい。上述のプログラムは、記憶部１１、出力部１２、累積部１３、及び残量算出部１４の処理を行う関数を備えもよい。各関数は、消費量や減算量を変数値として受け渡す。
【００８９】
（１０−３）記憶部１１の動作
上記では、「（３−２−１）供給されたはんだペースト量を記憶する機能」で説明した通り、はんだ印刷装置１のユーザが、供給されたはんだペーストの体積を算出するものとしたが、当該算出は記憶部１１で行ってもよい。
【００９０】
その為に、記憶部１１には、供給されたはんだペースト量の重さ、フラックス含有量、はんだペーストに含まれる金属成分各々の組成比、各金属成分の比重、及びフラックスの比重が、はんだ印刷装置１のユーザにより予め設定される。記憶部１１は、起動すると、供給されたはんだペーストの体積を式１により算出し、供給量として記憶部１１に設定する。
【００９１】
（１０−４）重量計との接続
はんだ印刷装置１の累積部３は、はんだ印刷検査装置２の代わりに重量計と接続されてもよい。
【００９２】
重量計には、ベルトコンベア３により、はんだ印刷装置１の印刷部１０から出力されたプリント基板が搬送される。当該プリント基板は、はんだペーストが印刷されたプリント基板である。重量計は、印刷部１０から計測開始信号が入力されると、搬送されてきたプリント基板の重さを計測し、計測した重さから、はんだペーストが印刷されていないプリント基板の重さを差し引いた値を算出する。上述の「はんだペーストが印刷されていないプリント基板の重さ」は、はんだ印刷装置１のユーザによって予め実測され、重量計に設定される。
【００９３】
重量計は、算出した値を、プリント基板に印刷されたはんだペーストの量として、はんだ印刷装置１の累積部１３に出力する。
【００９４】
その後、はんだ印刷装置１は、上述のＳ３〜Ｓ７の処理を行う。但し、はんだ印刷装置１の記憶部１１には、供給量として、供給されたはんだペーストの重さが予め設定される。また、残量算出部１４には、プリント基板に印刷するのに最低限必要なはんだペーストの重さが、所定量として設定される。
【００９５】
はんだ印刷装置１は、Ｓ３〜Ｓ７の処理を行った結果、供給されたはんだペーストの残量（重さで表される量）が所定量以下となったことを通知することができる。
【００９６】
［効果の説明］
本実施形態によれば、はんだ印刷装置１は、供給されたはんだペーストの残量が所定量以下となったことを通知するにあたり、製造コストを十分に抑えることができる。
【００９７】
なぜなら、はんだ印刷装置１は、同じシステム内の三次元はんだ印刷検査装置（はんだ印刷検査装置２）で計測されるはんだペーストの量を流用することで、装置内のはんだペーストの残量を求めるからである。はんだ印刷装置１は、流用によりはんだペーストの残量を求めることができるので、センサを備える必要がなく、その分、十分に製造コストを抑えることができる。
【００９８】
さらに、本実施形態のはんだ印刷装置１を含むシステムは、その導入コストを十分に抑えることができる。
【００９９】
その１つの理由としては、はんだ印刷装置１の製造コストが抑えられているからである。また、もう１つの理由としては、当該システム内のどの装置も新たにセンサを備える必要がないからである。なぜなら、はんだ印刷装置１が、新たなセンサを必要としないよう、同じ製造ラインの三次元はんだ印刷検査装置（はんだ印刷検査装置２）で計測されるはんだペーストの量を流用することによって、はんだペーストの残量を求めるからである。上述の２つの理由により、本実施形態のはんだ印刷装置１を含むシステムは、その導入コストを十分に抑えることができる。
【０１００】
なお、上述の「（１０−４）重量計との接続」で説明した通り、本実施形態のはんだ印刷装置１は、はんだ印刷検査装置２の代わりに重量計と接続することができる。すなわち、本実施形態のはんだ印刷装置１を含むシステムは、はんだ印刷検査装置２の代わりに重量計を備えることができる。
【０１０１】
重量計を備える上述のシステムは、重量計により重量を求めるが、当該重量は、体積や面積よりも簡便に求めることができると期待される。
【０１０２】
≪第２の実施の形態≫
次に、本発明の第２の実施の形態について説明する。
[概要]
本実施形態のはんだ印刷装置は、はんだ印刷検査装置２から入力される量の累積量、すなわち、装置が消費したはんだペーストの量が、所定量以上となった場合に警告を発する装置である。累積量（すなわち、装置が消費したはんだペーストの量）が所定量以上となったときは、装置内のはんだペースト残量は所定量以下に減っているので、本実施形態のはんだ印刷装置は、はんだペースト残量が所定量以下に減ったことをユーザに警告することができる。
【０１０３】
本実施形態のはんだ印刷装置は、累積量を用いて警告を発するので、累積量からはんだペーストの残量を算出する必要がない。その為、本実施形態のはんだ印刷装置は、はんだペーストの残量を算出する機能部を備えないで済み、第１の実施形態のはんだ印刷装置よりも製造コストを抑えることができる。
【０１０４】
以下に、第２の実施の形態のはんだ印刷装置を含むシステムの構成や動作の詳細について説明する。
［構成の説明］
（１）本発明の第２の実施の形態におけるはんだ印刷装置を含むシステムの構成
図６は、本発明の第２の実施の形態におけるはんだ印刷装置を含むシステムの構成例を示す図である。図７は、本発明の第２の実施の形態におけるはんだ印刷装置の構成例を示す図である。
【０１０５】
本実施形態のはんだ印刷装置を含むシステムは、図６に示されるように、はんだ印刷装置１の代わりに、はんだ印刷装置２１を備える。
【０１０６】
また、はんだ印刷装置２１は、図７に示されるように、出力部１２と累積部１３の代わりに、出力部２２と累積部２３を備える。出力部２２と累積部２３は、有線回線を介して接続される。はんだ印刷装置２１は、図３に示した残量算出部１４を備えない。
【０１０７】
（２）出力部２２と累積部２３の機能
上述の出力部２２と累積部２３の機能を説明する。始めに、累積部２３の機能から説明する。
【０１０８】
累積部２３は、自身に備わるメモリに累積量を記憶すると、記憶した累積量を電気信号として出力部２２に出力する。
【０１０９】
出力部２２は、累積部２３から電気信号が入力されると、入力された電気信号から累積量を抽出し、抽出した累積量が所定量以上か否か判別する。出力部２２は、抽出した累積量が所定量以上である場合に、警告を発する。所定量は、はんだ印刷装置２１のユーザによって出力部２２に設定される。
【０１１０】
上述した以外の構成や機能は、第１の実施の形態におけるシステムと同じであるので、同一の符号を付して説明を省略する。
【０１１１】
[動作の説明]
図８は、本発明の第２の実施の形態におけるはんだ印刷装置２１の動作を説明する為の図である。図８を用いて、本実施形態のはんだ印刷装置２１を含むシステムの動作を説明する。
【０１１２】
まず、はんだ印刷装置２１がＳ１〜Ｓ３の処理を行い、Ｓ３において、累積部２３が累積量をメモリに記憶したとする。
【０１１３】
その後、はんだ印刷装置２１の累積部２３は、記憶した累積量を電気信号として出力部２２に出力する（Ｓ２４）。
【０１１４】
次に、出力部２２は、入力された電気信号から累積量を抽出し、抽出した累積量が所定量以上か否か判別する（Ｓ２５）。
【０１１５】
ここで、累積量は、装置が消費したはんだペーストの量である。累積量（すなわち、装置が消費したはんだペーストの量）が所定量以上となったとき、装置内のはんだペースト残量は所定量以下に減っている。Ｓ２５の判別は、装置内のはんだペーストの残量が所定量以下になったか否かを判別している。
【０１１６】
出力部２２は、Ｓ２５において、抽出した累積量が所定量以上でない場合（Ｓ２５でＮｏの場合）、すなわち、はんだペーストの残量が所定量以下になっていない場合には、特に警告を発せず、Ｓ１に戻り、印刷動作を継続する。
【０１１７】
その後、はんだ印刷装置２１がＳ１〜Ｓ３、Ｓ２４〜Ｓ２５の処理を繰り返したとする。Ｓ１で印刷処理が実施されることで、はんだ印刷装置２１内のはんだペーストが消費されていく。出力部２２が抽出する累積量（はんだ印刷装置２１が消費したはんだペーストの量）も増加していく。
【０１１８】
出力部２２は、Ｓ２５において、抽出した累積量が所定量以上となった場合（Ｓ２５でＹｅｓの場合）、すなわち、装置内のはんだペーストの残量が所定量以下となった場合には、警報を発する（Ｓ６）。
【０１１９】
はんだ印刷装置２１のユーザは、警告音により、装置内のはんだペーストの残量が所定量以下となったことを知り、はんだペーストをはんだ印刷装置２１に補充することができる。
【０１２０】
その他の動作については、第１の実施の形態の動作と同様である為、詳細の説明を省略する。
【０１２１】
［効果の説明］
本実施形態のはんだ印刷装置２１は、第１の実施形態のはんだ印刷装置１よりも十分に製造コストを抑えることができる。なぜなら、本実施形態のはんだ印刷装置２１は、センサだけでなく、はんだペーストの残量を算出する機能部（すなわち、残量算出部１４）も備える必要がないからである。
【０１２２】
本実施形態のはんだ印刷装置２１を含むシステムも、センサ及び残量算出部１４を備える必要がないので、第１の実施形態のはんだ印刷装置１を含むシステムよりも十分に導入コストを抑えることができる。
【０１２３】
≪第３の実施の形態≫
図９は、本発明の第３の実施の形態における処理装置１００の構成例を説明する為の図である。以下に、第３の実施の形態の処理装置１００の構成と動作について説明する。
【０１２４】
［構成の説明］
（１）第３の実施形態の処理装置１００の構成
第３の実施形態の処理装置１００は、半田を用いた所定の処理を行う装置である。
【０１２５】
本実施形態の処理装置１００は、図９に示されるように、所定の装置２００と有線回線を介して接続され、システムを構成する。本実施形態の処理装置１００は、累積部１０１と、出力部１０２と、を備える。累積部１０１は、出力部１０２及び装置２００と有線回線を介して接続される。所定の処理は、半田をプリント基板に印刷する処理（以下、「印刷処理」という）であってもよい。
【０１２６】
（２）装置２００の機能
装置２００は、（装置１００で実施された）所定の処理の結果物が入力される。装置２００は、ベルトコンベアによって装置１００から所定の処理の結果物が入力されてもよい。装置２００は、所定の処理の結果物の出力先である。
【０１２７】
所定の処理が上述の印刷処理の場合、当該所定の処理の結果物は、半田が印刷されたプリント基板である。
【０１２８】
装置２００は、入力された所定の処理の結果物に含まれる半田の体積又は、当該結果物に半田が付着した面積の少なくともいずれか一方である半田量を計測する。装置２００は、半田量を計測したときには、計測した半田量を電気信号として累積部１０１に出力する機能を備えてもよい。
【０１２９】
（３）処理装置１００の各部位の機能
（３−１）累積部１０１の機能
累積部１０１は、装置２００から入力される半田量の積算量を算出する。
【０１３０】
積算量は、本実施形態の装置１００がそれまでに所定の処理で消費した半田の消費量である。
【０１３１】
累積部１０１は、積算量を算出する為に、装置２００から入力される電気信号から半田量を抽出すると、抽出した半田量を、それまでに抽出した半田量に加算する機能を備えてもよい。
【０１３２】
（３−２）出力部１０２の機能
出力部１０２は、累積部１０１で算出された積算量に対応する量が所定量に達した場合に所定の信号を出力する。
【０１３３】
例えば、出力部１０２は、積算量（すなわち、半田の消費量）が所定量以上になった場合に、所定の信号を出力してもよい。
【０１３４】
所定の信号は、警報を発する信号であってもよい。所定量は、本実施形態の処理装置１００のユーザにより予め設定される。所定量は、体積量が設定されてもよい。
【０１３５】
[動作の説明]
（１）基本動作
次に、本実施形態の処理装置１００の動作を説明する。なお、本実施形態の処理装置１００が、供給された半田を用いて印刷処理を行っており、装置２００が、印刷処理の結果物（すなわち、印刷されたプリント基板）に含まれる半田の体積である半田量を計測しているものとする。また、装置２００が、半田量を計測すると、計測した半田量を電気信号として処理装置１００に出力しているものとする。
【０１３６】
処理装置１００の累積部１０１は、装置２００から入力される半田量の積算量を算出する。
【０１３７】
具体的には、累積部１０１は、装置２００から電気信号が入力されると、入力された電気信号から半田量を抽出し、抽出した半田量を、それまでに抽出した半田量に加算して積算量を算出する。
【０１３８】
上述の積算量は、それまでにプリント基板に印刷された半田量であるので、本実施形態の処理装置１００が消費した半田量（以下、「半田の消費量」という）に相当する。
【０１３９】
次に、出力部１０２は、累積部１０１で算出された積算量（すなわち、半田の消費量）に対応する量が所定量に達した場合に所定の信号を出力する。
【０１４０】
例えば、出力部１０２は、積算量（すなわち、半田の消費量）が所定量以上となった場合に信号を出力してもよい。積算量（すなわち、半田の消費量）が所定量以上となったときには、処理装置１００内の半田の残量は所定量以下となっている。出力部１０２は、処理装置１００内の半田の残量は所定量以下となったときに所定の信号を出力することとなる。
【０１４１】
所定の信号は、警報を発する信号であってもよい。
【０１４２】
本実施形態の処理装置１００のユーザは、警報を確認することで、装置内の半田の残量が所定量以下となったことを知り、半田を処理装置１００に補充することができる。
【０１４３】
なお、上述の積算量に対応する量は、積算量から求められる処理装置１００内の半田の残量であってもよい。その場合、出力部１０２は、処理装置１００内の半田の残量を、積算量（半田の消費量）と、処理装置１００に供給された半田の量と、の差を算出することで求める。出力部１０２は、求めた処理装置１００内の半田の残量が所定量以下になった場合に、警告を発する信号を出力する。
【０１４４】
本実施形態の処理装置１００のユーザは、警報を確認することで、装置内の半田の残量が所定量以下となったことを知り、半田を処理装置１００に補充することができる。なお、「処理装置１００に供給された半田の量」は、本実施形態の処理装置１００のユーザによって出力部１０２に予め設定される。
【０１４５】
（２）装置２００が半田の面積を計測する場合の動作
結果物に半田が付着した面積である半田量を装置２００が計測する場合、本実施形態の処理装置１００は、同じ高さで半田をプリント基板に印刷しているときに、計測された半田量を用いて、上述の「（１）基本動作」の動作を行うことができる。
【０１４６】
そのとき、本実施形態の処理装置１００は、体積の代わりに面積を扱うこととなる。その為、出力部１０２に設定される所定量は、面積を示す量である必要がある。
【０１４７】
その為に、本実施形態の処理装置１００のユーザは、「（１）基本動作」において出力部１０２に設定した所定量（体積を示す量）を、プリント基板に印刷された半田の高さで除算した量（面積を示す量）を算出する。「プリント基板に印刷された半田の高さ」は実測により求めることができる。本実施形態の処理装置１００のユーザは、算出した量（面積を示す量）を所定量として出力部１０２に設定する。
【０１４８】
［効果の説明］
本実施形態によれば、処理装置１００は、装置に供給されている半田の残量が所定量以下となったことを通知するにあたり、製造コストを十分に抑えることができる。
【０１４９】
なぜなら、処理装置１００は、同じシステムの装置２００で計測された半田量を流用して、積算量（装置が消費した半田量）を算出し、該積算量に対応する量（例えば、積算量から求められる半田の残量）が所定量に達したときに信号を出力するからである。上述の処理によって、本実施形態の処理装置１００は、センサを用いことなく、半田の残量が所定量以下となったことをユーザに通知することができる。その結果、本実施形態の処理装置１００は、センサを備える必要がないので、その分、十分に製造コストを抑えることができる。
【０１５０】
さらに、本実施形態の処理装置１００を含むシステムは、その導入コストを十分に抑えることができる。なぜなら、当該システムでは、処理装置１００の製造コストが抑えられているからである。さらに、もう1つの理由として、当該システムでは、残量が所定量以下となったことを通知するにあたり、装置２００で計測された半田量を流用して装置１００が計算を行うだけであり、システム内のどの装置にもセンサを新たに備える必要がないからである。
【０１５１】
上述した実施の形態は、その形態に限定されるものではなく、実施段階ではその要旨を逸脱しない範囲で種々変更可能である。
【０１５２】
さらに、上記の各実施形態の一部又は全部は、以下の付記のようにも記載されうるが、以下には限られない。
（付記１）
半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積部と、
前記積算量に対応する量が所定量に達した場合に所定の信号を出力する出力部と、
を備えることを特徴とする処理装置。
（付記２）
前記積算量と、装置に供給された前記半田の量を示す所定の供給量と、の差を算出する残量算出部を備え、
前記出力部は、前記差が前記所定量以下である場合に前記所定の信号を出力する、
ことを特徴とする付記１に記載の処理装置。
（付記３）
前記差を表示する表示部を備える、
ことを特徴とする付記２に記載の処理装置。
（付記４）
前記出力部は、前記積算量が前記所定量以上である場合に前記所定の信号を出力する、
ことを特徴とする付記１に記載の処理装置。
（付記５）
前記所定の信号は、接続する機器が警報を発する信号である、
ことを特徴とする付記１乃至４のいずれか１項に記載の処理装置。
（付記６）
半田を用いた所定の処理の結果物の出力先である所定の装置から入力される、前記結果物に含まれる前記半田の体積又は前記結果物に前記半田が付着した面積の少なくともいずれか一方である半田量の積算量を算出する累積ステップと、
前記積算量に対応する量が所定量に達した場合に所定の信号を出力する出力ステップと、を有する、
ことを特徴とする方法。
（付記７）
前記積算量と、供給された前記半田の量を示す所定の供給量と、の差を算出する残量算出ステップを有し、
前記出力ステップにおいては、前記差が前記所定量以下である場合に前記所定の信号を出力する、
ことを特徴とする付記６に記載の方法。
（付記８）
前記出力ステップにおいては、前記積算量が前記所定量以上である場合に前記所定の信号を出力する、
ことを特徴とする付記６に記載の方法。
（付記９）
半田を用いた所定の処理の結果物の出力先である所定の装置と接続されたコンピュータに、
前記装置から入力される、前記結果物に含まれる前記半田の体積又は前記結果物に前記半田が付着した面積の少なくともいずれか一方である半田量の積算量を算出する累積処理と、
前記積算量に対応する量が所定量に達した場合に所定の信号を出力する出力処理と、
を行わせるためのプログラム。
（付記１０）
前記積算量と、供給された前記半田の量を示す所定の供給量と、の差を算出する残量算出処理と、
前記出力処理においては、前記差が前記所定量以下である場合に前記所定の信号を出力する処理と、
を前記コンピュータに行わせるための付記９に記載のプログラム。
（付記１１）
前記差を表示する表示処理を前記コンピュータに行わせるための付記１０に記載のプログラム。
（付記１２）
前記出力処理においては、前記積算量が前記所定量以上である場合に前記所定の信号を出力する処理を前記コンピュータに行わせるための付記９に記載のプログラム。
（付記１３）
前記所定の処理は、前記半田を基板に印刷する印刷処理である、
ことを特徴とする付記９乃至１２のいずれか１項に記載のプログラム。
（付記１４）
前記所定の信号は、接続する機器が警報を発する信号である、
ことを特徴とする付記９乃至１３のいずれか１項に記載のプログラム。
（付記１５）
前記累積処理においては、前記結果物の重量と、前記結果物の前記処理前の所定の重量と、の差を計測する計量器で計測された前記差の積算量を算出する処理と、
前記出力処理においては、前記差の積算量が所定量に達した場合に前記所定の信号を出力する処理と、
を前記コンピュータに行わせるための付記９に記載のプログラム。
（付記１６）
前記差を表示する、
ことを特徴とする付記７に記載の方法。
（付記１７）
前記所定の処理は、前記半田を基板に印刷する印刷処理である、
ことを特徴とする付記６乃至８のいずれか１項、又は付記１６に記載の方法。
（付記１８）
前記所定の信号は、接続する機器が警報を発する信号である、
ことを特徴とする付記６乃至８のいずれか１項、又は付記１６乃至１７のいずれか１項に記載の方法。
（付記１９）
前記累積ステップにおいては、前記結果物の重量と、前記結果物の前記処理前の所定の重量と、の差を計測する計量器で計測された前記差の積算量を算出し、
前記出力ステップにおいては、前記差の積算量が所定量に達した場合に前記所定の信号を出力する、
ことを特徴とする付記６に記載の方法。
（付記２０）
前記所定の処理は、前記半田を基板に印刷する印刷処理である、
ことを特徴とする付記１乃至５のいずれか１項に記載の処理装置。
（付記２１）
前記結果物の重量と、前記結果物の前記処理前の所定の重量と、の差を計測する計量器と接続され、
前記累積部は、前記計量器で計測された前記差の積算量を算出し、
前記出力部は、前記差の積算量が所定量に達した場合に前記所定の信号を出力する、
ことを特徴とする付記１に記載の処理装置。
【符号の説明】
【０１５３】
１    はんだ印刷装置
２    はんだ印刷検査装置
３    ベルトコンベア
４    有線回線
５    ＰＣ（Ｐｅｒｓｏｎａｌ  Ｃｏｍｐｕｔｅｒ）
１０    印刷部
１１    記憶部
１２    出力部
１３    累積部
１４    残量算出部
１５    動作開始ボタン
２１    はんだ印刷装置
２２    出力部
２３    累積部
１００    処理装置
１０１    累積部
１０２    出力部
２００    装置
【図１】
2017077635.tif 000004
【図２】
2017077635.tif 000005
【図３】
2017077635.tif 000006
【図４】
2017077635.tif 000007
【図５】
2017077635.tif 000008
【図６】
2017077635.tif 000009
【図７】
2017077635.tif 000010
【図８】
2017077635.tif 000011
【図９】
2017077635.tif 000012